(57)【特許請求の範囲】
【請求項１】
時分割同期符号多重通信方式に準拠して通信する被試験端末の試験を行う端末試験装置であって、
複数の被試験端末（２ａ〜２ｇ）と前記端末試験装置との呼接続を確立するための接続情報を情報通信経路（３ａ〜３ｇ）を介して前記各被試験端末に設定する接続情報設定部（３２）と、
前記各被試験端末に下り方向の試験データをデータ通信経路（４ａ〜４ｇ）を介して送信する試験データ送信部（２１）と、
前記各被試験端末における前記試験データの受信結果を表す受信結果情報を前記情報通信経路を介して受信する受信結果情報受信部（３３）とを備え、
前記接続情報設定部は、前記時分割同期符号多重通信方式におけるフレームを構成するタイムスロットのなかで、前記試験データ送信部から前記各被試験端末に送信する下り方向の前記試験データを各タイムスロットにそれぞれ割り当てるとともに、上り方向の通信に割り当てるように規定されているタイムスロットに対しても前記試験データを割り当てることを特徴とする端末試験装置。
【請求項２】
前記接続情報設定部は、前記時分割同期符号多重通信方式におけるフレームを構成するタイムスロットのなかで、下り方向の報知情報の通信に割り当てるように規定されているタイムスロットに対しても前記試験データを割り当てることを特徴とする請求項１に記載の端末試験装置。
【請求項３】
時分割同期符号多重通信方式に準拠して通信する被試験端末の試験を行う端末試験装置であって、
複数の被試験端末（２ａ〜２ｇ）と前記端末試験装置との呼接続を確立するための接続情報を情報通信経路（３ａ〜３ｇ）を介して前記各被試験端末に設定する接続情報設定部（３２）と、
前記各被試験端末に下り方向の試験データをデータ通信経路（４ａ〜４ｇ）を介して送信する試験データ送信部（２１）と、
前記各被試験端末における前記試験データの受信結果を表す受信結果情報を前記情報通信経路を介して受信する受信結果情報受信部（３３）とを備え、
前記接続情報設定部は、前記時分割同期符号多重通信方式におけるフレームを構成するタイムスロットのなかで、前記試験データ送信部から前記各被試験端末に送信する下り方向の前記試験データを各タイムスロットにそれぞれ割り当てるとともに、下り方向の報知情報の通信に割り当てるように規定されているタイムスロットに対しても前記試験データを割り当てることを特徴とする端末試験装置。
【請求項４】
時分割同期符号多重通信方式に準拠して通信する被試験端末を端末試験装置を用いて試験する端末試験方法であって、
複数の被試験端末（２ａ〜２ｇ）と前記端末試験装置（１）との呼接続を確立するための接続情報を情報通信経路（３ａ〜３ｇ）を介して前記各被試験端末に設定する接続情報設定ステップと、
前記各被試験端末に下り方向の試験データをデータ通信経路（４ａ〜４ｇ）を介して送信する試験データ送信ステップと、
前記各被試験端末における前記試験データの受信結果を表す受信結果情報を前記情報通信経路を介して受信する受信結果情報受信ステップとを有し、
前記接続情報設定ステップは、前記時分割同期符号多重通信方式におけるフレームを構成するタイムスロットのなかで、前記試験データ送信ステップから前記各被試験端末に送信する下り方向の前記試験データを各タイムスロットにそれぞれ割り当てるとともに、上り方向の通信に割り当てるように規定されているタイムスロットに対しても前記試験データを割り当てることを特徴とする端末試験方法。
【請求項５】
前記接続情報設定ステップでは、前記時分割同期符号多重通信方式におけるフレームを構成するタイムスロットのなかで、下り方向の報知情報の通信に割り当てるように規定されているタイムスロットに対しても前記試験データを割り当てることを特徴とする請求項４に記載の端末試験方法。
【請求項６】
時分割同期符号多重通信方式に準拠して通信する被試験端末を端末試験装置を用いて試験する端末試験方法であって、
複数の被試験端末（２ａ〜２ｇ）と前記端末試験装置（１）との呼接続を確立するための接続情報を情報通信経路（３ａ〜３ｇ）を介して前記各被試験端末に設定する接続情報設定ステップと、
前記各被試験端末に下り方向の試験データをデータ通信経路（４ａ〜４ｇ）を介して送信する試験データ送信ステップと、
前記各被試験端末における前記試験データの受信結果を表す受信結果情報を前記情報通信経路を介して受信する受信結果情報受信ステップとを備え、
前記接続情報設定ステップは、前記時分割同期符号多重通信方式におけるフレームを構成するタイムスロットのなかで、前記試験データ送信部から前記各被試験端末に送信する下り方向の前記試験データを各タイムスロットにそれぞれ割り当てるとともに、下り方向の報知情報の通信に割り当てるように規定されているタイムスロットに対しても前記試験データを割り当てることを特徴とする端末試験方法。
【発明の詳細な説明】
【技術分野】
【０００１】
本発明は、端末試験装置に関し、特に、時分割同期符号多重通信方式に準拠して通信する被試験端末の試験を行う端末試験装置に関する。
【背景技術】
【０００２】
従来の端末試験装置としては、被試験端末に対して送信スロット数、各スロットの電力およびスロット間の電力の変化量のうち少なくとも１つの変化を要求し、この要求に応じて被試験端末から送信された応答情報に基づいて被試験端末から送信された被試験データに割り当てられたスロットを検出し、検出した各スロットの電力やスロット間の電力変化量を検出することにより被試験端末の動作判定を行うものがある（例えば、特許文献１参照）。
【特許文献１】特開２００３−４６４３１号公報
【発明の開示】
【発明が解決しようとする課題】
【０００３】
このような従来の端末試験装置においては、試験コストを低減させるため、被試験端末の１台あたりの試験時間を短縮することが課題となっている。
【０００４】
本発明は、従来の課題を解決するためになされたもので、被試験端末の１台あたりの試験時間を従来のものより短縮することができる端末試験装置を提供することを目的とする。
【課題を解決するための手段】
【０００５】
本発明の端末試験装置は、時分割同期符号多重通信方式に準拠して通信する被試験端末の試験を行う端末試験装置であって、複数の被試験端末（２ａ〜２ｇ）と前記端末試験装置との呼接続を確立するための接続情報を情報通信経路（３ａ〜３ｇ）を介して前記各被試験端末に設定する接続情報設定部（３２）と、前記各被試験端末に下り方向の試験データをデータ通信経路（４ａ〜４ｇ）を介して送信する試験データ送信部（２１）と、前記各被試験端末における前記試験データの受信結果を表す受信結果情報を前記情報通信経路を介して受信する受信結果情報受信部（３３）とを備え、前記接続情報設定部は、前記時分割同期符号多重通信方式におけるフレームを構成するタイムスロットのなかで、前記試験データ送信部から前記各被試験端末に送信する下り方向の前記試験データを各タイムスロットにそれぞれ割り当てるとともに、上り方向の通信に割り当てるように規定されているタイムスロットに対しても前記試験データを割り当てるように構成されている。
【０００６】
この構成により、本発明の端末試験装置は、複数の被試験端末の試験を並行することができるため、被試験端末の１台あたりの試験時間を従来のものより短縮することができる。
【０００７】
なお、前記接続情報設定部は、前記時分割同期符号多重通信方式におけるフレームを構成するタイムスロットのなかで、下り方向の報知情報の通信に割り当てるように規定されているタイムスロットに対しても前記試験データを割り当てるようにしてもよい。
【０００８】
また、本発明の端末試験装置は、時分割同期符号多重通信方式に準拠して通信する被試験端末の試験を行う端末試験装置であって、複数の被試験端末（２ａ〜２ｇ）と前記端末試験装置との呼接続を確立するための接続情報を情報通信経路（３ａ〜３ｇ）を介して前記各被試験端末に設定する接続情報設定部（３２）と、前記各被試験端末に下り方向の試験データをデータ通信経路（４ａ〜４ｇ）を介して送信する試験データ送信部（２１）と、前記各被試験端末における前記試験データの受信結果を表す受信結果情報を前記情報通信経路を介して受信する受信結果情報受信部（３３）とを備え、前記接続情報設定部は、前記時分割同期符号多重通信方式におけるフレームを構成するタイムスロットのなかで、前記試験データ送信部から前記各被試験端末に送信する下り方向の前記試験データを各タイムスロットにそれぞれ割り当てるとともに、下り方向の報知情報の通信に割り当てるように規定されているタイムスロットに対しても前記試験データを割り当てるように構成されている。
【０００９】
この構成により、本発明の端末試験装置は、複数の被試験端末の試験を並行することができるため、被試験端末の１台あたりの試験時間を従来のものより短縮することができる。
【００１０】
また、本発明の端末試験方法は、時分割同期符号多重通信方式に準拠して通信する被試験端末を端末試験装置を用いて試験する端末試験方法であって、複数の被試験端末（２ａ〜２ｇ）と前記端末試験装置（１）との呼接続を確立するための接続情報を情報通信経路（３ａ〜３ｇ）を介して前記各被試験端末に設定する接続情報設定ステップと、前記各被試験端末に下り方向の試験データをデータ通信経路（４ａ〜４ｇ）を介して送信する試験データ送信ステップと、前記各被試験端末における前記試験データの受信結果を表す受信結果情報を前記情報通信経路を介して受信する受信ステップとを有し、前記接続情報設定ステップでは、前記時分割同期符号多重通信方式におけるフレームを構成するタイムスロットのなかで、前記試験データ送信ステップで前記各被試験端末に送信する下り方向の前記試験データを各タイムスロットに割り当てるとともに、上り方向の通信に割り当てるように規定されているタイムスロットに対しても前記試験データを割り当てる。
【００１１】
この構成により、本発明の端末試験システムは、複数の被試験端末の試験を並行することができるため、被試験端末の１台あたりの試験時間を従来のものより短縮することができる。
【００１２】
なお、前記接続情報設定ステップは、前記時分割同期符号多重通信方式におけるフレームを構成するタイムスロットのなかで、下り方向の報知情報の通信に割り当てるように規定されているタイムスロットに対しても前記試験データを割り当てるようにしてもよい。
【００１３】
また、本発明の端末試験方法は、時分割同期符号多重通信方式に準拠して通信する被試験端末を端末試験装置を用いて試験する端末試験方法であって、複数の被試験端末（２ａ〜２ｇ）と前記端末試験装置（１）との呼接続を確立するための接続情報を情報通信経路（３ａ〜３ｇ）を介して前記各被試験端末に設定する接続情報設定ステップと、前記各被試験端末に下り方向の試験データをデータ通信経路（４ａ〜４ｇ）を介して送信する試験データ送信ステップと、前記各被試験端末における前記試験データの受信結果を表す受信結果情報を前記情報通信経路を介して受信する受信ステップとを有し、前記接続情報設定ステップでは、前記時分割同期符号多重通信方式におけるフレームを構成するタイムスロットのなかで、前記試験データ送信ステップで前記各被試験端末に送信する下り方向の前記試験データを各タイムスロットに割り当てるとともに、下り方向の報知情報の通信に割り当てるように規定されているタイムスロットに対しても前記試験データを割り当てる。
【００１４】
したがって、本発明の端末試験方法は、複数の被試験端末の試験を並行することができるため、被試験端末の１台あたりの試験時間を従来のものより短縮することができる。
【発明の効果】
【００１５】
本発明は、被試験端末の１台あたりの試験時間を従来のものより短縮することができる端末試験装置を提供することができる。
【発明を実施するための最良の形態】
【００１６】
以下、本発明の実施の形態について、図面を参照して説明する。なお、本実施の形態においては、時分割同期符号多重通信方式（Time Division Synchronous Code Division Multiple Access、以下、「ＴＤ−ＳＣＤＭＡ」という。）に準拠して通信する携帯端末を被試験端末として試験する端末試験装置に本発明の端末試験装置を適用した例について説明する。
【００１７】
まず、本発明の実施の形態について説明するのに先立って、ＴＤ−ＳＣＤＭＡのフレームフォーマットについて説明する。図１に示すように、ＴＤ−ＳＣＤＭＡのフレームは、１０ｍｓ周期のラジオフレーム（Radio frame）からなり、このラジオフレームは、２つのサブフレーム（sub-frame）からなる。
【００１８】
各サブフレームには、タイムスロット＃０からタイムスロット＃６までの７つのタイムスロット（timeslot）が含まれ、タイムスロット＃０とタイムスロット＃１との間に、下り方向の同期用信号を含む区間ＤｗＰＴＳ（Downlink Pilot Time Slot）と、無信号区間ＧＰ（Guard Period）と、上り方向の同期用信号を含む区間ＵｐＰＴＳ（Uplink Pilot Time Slot）とが含まれている。
【００１９】
タイムスロット＃０は、基地局すなわち端末試験装置１を各端末に検出させるための下り方向の報知情報の通信に用いられ、タイムスロット＃１は、上り方向の通信に用いるように規定されている。なお、タイムスロット＃２からタイムスロット＃６までは、何れの方向にも用いることができる。また、各タイムスロットに割り当てられるデータは、符号多重化されていてもよい。
【００２０】
図２に示すように、本発明の実施の形態における端末試験装置１は、複数の携帯端末２ａ乃至２ｇが情報通信経路３ａ乃至３ｇおよびデータ通信経路４ａ乃至４ｇで接続できるようになっている。なお、本実施の形態において、携帯端末２ａ乃至２ｇは、情報通信経路としてのＵＳＢ（Universal Serial Bus）ケーブル３ａ乃至３ｇで端末試験装置１に接続されているものとするが、他の種類のケーブルで接続されていてもよい。
【００２１】
また、本実施の形態において、携帯端末２ａ乃至２ｇは、データ通信経路としての同軸ケーブル４ａ乃至４ｇでそれぞれ端末試験装置１に接続され、有線で通信するものとするが、無線で通信するようにしてもよい。
【００２２】
端末試験装置１は、各携帯端末２ａ乃至２ｇに下り方向の試験データを送信する送信部１０と、各携帯端末２ａ乃至２ｇにおける前記試験データの受信結果を表す受信結果情報を同軸ケーブル４ａ乃至４ｇを介して受信する受信部１１とを備えている。
【００２３】
送信部１０は、試験データが格納された試験データ格納部２０と、試験データ格納部２０に格納された試験データを各携帯端末２ａ乃至２ｇに送信する試験データ送信部２１と、試験データを表す信号を各同軸ケーブル４ａ乃至４ｇに分配するための分配器２２と、試験データを表す信号が試験データ送信部２１によって送信されてから各携帯端末２ａ乃至２ｇに受信されるまでに損失する各ロスレベル（以下、「下りロスレベル」という。）を表すテーブルを格納するロスレベル格納部２３とを備えている。
【００２４】
試験データ送信部２１は、ＴＤ−ＳＣＤＭＡにおけるフレームを構成する各タイムスロットに該当するタイミングで、試験データ格納部２０に格納された試験データを分配器２２を介して各携帯端末２ａ乃至２ｇに送信するようになっている。
【００２５】
ここで、試験データ送信部２１は、予め設定された送信電力で各携帯端末２ａ乃至２ｇに試験データを送信するようになっている。さらに、試験データ送信部２１は、各下りロスレベルをロスレベル格納部２３に格納されたテーブルから取得し、取得した下りロスレベル分だけ各携帯端末２ａ乃至２ｇに送信する試験データの送信電力を増大させるようになっている。なお、下りロスレベルは、試験前の測定等により予め得られているものとする。
【００２６】
受信部１１は、ＵＳＢケーブル３ａ乃至３ｇを介して各携帯端末２ａ乃至２ｇと通信するための端末インタフェイス（Ｉ／Ｆ）３１と、端末ＩＦ３１を介して各携帯端末２ａ乃至２ｇと送信部１０との呼接続を確立するための接続情報を各携帯端末２ａ乃至２ｇに設定する接続情報設定部３２と、試験データを受信した各携帯端末２ａ乃至２ｇから受信結果として送信された受信結果情報を端末ＩＦ３１を介して受信する受信結果情報受信部３３と、受信結果情報を格納する受信結果情報格納部３４と、受信結果情報格納部３４に格納された受信結果情報を不図示の表示装置、記録装置およびコンピュータ装置等に出力する出力部３５と、ユーザによる指示が入力されるキーボード装置やポインティングデバイスよりなる操作部３６と、接続情報設定部３２、受信結果情報格納部３４および試験データ送信部２１等、端末試験装置１の各部を制御するプロセッサよりなる制御部３７とを備えている。
【００２７】
ここで、接続情報設定部３２によって各携帯端末２ａ乃至２ｇに設定される接続情報は、タイムスロット番号と、符号間干渉を防ぐために用いられるチャネライゼーションコードと、チャネル等化や位相同期検波のために用いられるミッドアンブルコードと、符号拡散に用いられるスクランブリングコードと、無線ベアラのチャネルフォーマットと、下り方向の同期用コードＳＹＮＣ−ＤＬとが含まれる。
【００２８】
接続情報設定部３２は、図３に示すように、送信部１０によって送信された試験データを各携帯端末２ａ乃至２ｇが各タイムスロット＃０乃至＃６で受信できるように、端末ＩＦ３１を介して各携帯端末２ａ乃至２ｇに接続情報を設定するようになっている。
【００２９】
なお、本実施の形態において、端末試験装置１は、図３に示したように、全てのタイムスロット＃０乃至＃６を用いて、７台の携帯端末２ａ乃至２ｇの試験を並行して行うが、７台未満の携帯端末２ａ乃至２ｇの試験を並行して行うようにしてもよい。
【００３０】
また、本実施の形態において、各携帯端末２ａ乃至２ｇは、試験データと比較するための参照データを予め格納し、送信部１０から送信された試験データと、参照データとを比較することによって、ビット誤り率を測定し、測定したビット誤り率を表す受信結果情報をＵＳＢケーブル３ａ乃至３ｇを介して受信部１１に送信するものとする。
【００３１】
また、各携帯端末２ａ乃至２ｇは、制御部３７によってＵＳＢケーブル３ａ乃至３ｇを介して送信された制御信号に応じて、ビット誤り率の測定を開始したり終了したりするものとする。
【００３２】
制御部３７は、接続情報設定部３２によって各携帯端末２ａ乃至２ｇに設定される設定情報の生成、受信結果情報格納部３４に格納された受信結果情報の出力部３５に対する出力、各部に対する試験の開始および終了の指示等を行うようになっている。
【００３３】
以上のように構成された端末試験装置１について図４を用いてその動作を説明する。なお、以下に説明する端末試験装置１の動作は、操作部３６を介して制御部３７に試験の開始が指示されたときに実行される。
【００３４】
まず、制御部３７によって生成された接続情報が接続情報設定部３２によって各携帯端末２ａ乃至２ｇに設定されることにより、送信部１０と各携帯端末２ａ乃至２ｇとの呼接続が確立される（Ｓ１）。
【００３５】
次いで、制御部３７によって試験の開始が指示された試験データ送信部２１によって、試験データの送信が開始される（Ｓ２）。ここで、ロスレベル格納部２３に格納されたテーブルに基づいて各下りロスレベルが補償されるよう、各タイムスロットの送信電力が試験データ送信部２１によって調整される。
【００３６】
次いで、制御部３７によって試験の開始を指示する制御信号がＵＳＢケーブル３ａ乃至３ｇを介して各携帯端末２ａ乃至２ｇに送信され（Ｓ３）、この制御信号を受信した各携帯端末２ａ乃至２ｇによってビット誤り率の測定が開始される（Ｓ４）。
【００３７】
ここで、制御部３７によって試験の終了が各携帯端末２ａ乃至２ｇに指示されると（Ｓ５）、各携帯端末２ａ乃至２ｇによって測定されたビット誤り率を表す受信結果情報が、各携帯端末２ａ乃至２ｇからＵＳＢケーブル３ａ乃至３ｇを介して受信部１１に送信される（Ｓ６）。
【００３８】
各携帯端末２ａ乃至２ｇから送信された受信結果情報は、受信結果情報受信部３３に受信され、受信結果情報格納部３４に格納される（Ｓ７）。受信結果情報格納部３４に格納された受信結果情報は、制御部３７によって出力部３５に出力され（Ｓ８）、例えば、記録装置に記録される。
【００３９】
このように、本発明の一実施の形態の端末試験装置１は、複数の携帯端末２ａ乃至２ｇの試験を並行することができるため、被試験端末の１台あたりの試験時間を従来のものより短縮することができる。
【００４０】
なお、本実施の形態においては、各携帯端末２ａ乃至２ｇが、試験データと比較するための参照データを予め格納し、送信部１０から送信された試験データと、参照データとを比較することによって、ビット誤り率を測定するものとして説明したが、各携帯端末２ａ乃至２ｇに参照データが予め格納されていない場合には、接続情報設定部３２が各携帯端末２ａ乃至２ｇに設定する接続情報に、試験データ格納部２０に格納された試験データを参照データとして含め、この参照データを各携帯端末２ａ乃至２ｇが格納するようにしてもよい。
【００４１】
また、各携帯端末２ａ乃至２ｇがビット誤り率を測定することができない場合には、受信部１１に、各携帯端末２ａ乃至２ｇ毎にビット誤り率を測定するビット誤り率測定部を設け、各携帯端末２ａ乃至２ｇが受信した試験データを受信結果情報として各ＵＳＢケーブル３ａ乃至３ｇを介して送信するようにしてもよい。
【００４２】
また、本発明においては、送信部１０を試験データ送信装置によって構成し、受信部１１を受信結果情報受信装置によって構成することによって、送信部１０と受信部１１とを分離するようにしてもよい。この場合には、受信部１１をパーソナルコンピュータ装置によって構成することもできる。
【図面の簡単な説明】
【００４３】
【図１】ＴＤ−ＳＣＤＭＡのフレームフォーマットを説明するための説明図である。
【図２】本発明の一実施の形態の端末試験装置のブロック図である。
【図３】本発明の一実施の形態の端末試験装置によるタイムスロットの割り当ての一例を示す概念図である。
【図４】本発明の一実施の形態の端末試験装置の動作を示すフローチャートである。
【符号の説明】
【００４４】
１  端末試験装置
２ａ〜２ｇ  携帯端末
３ａ〜３ｇ  ＵＳＢケーブル（情報通信経路）
４ａ〜４ｇ  同軸ケーブル（データ通信経路）
１０  送信部
１１  受信部
２０  試験データ格納部
２１  試験データ送信部
２２  分配器
２３  ロスレベル格納部
３１  端末ＩＦ
３２  接続情報設定部
３３  受信結果情報受信部
３４  受信結果情報格納部
３５  出力部
３６  操作部
３７  制御部
【図１】
0005044452.tif 000002
【図２】
0005044452.tif 000003
【図３】
0005044452.tif 000004
【図４】
0005044452.tif 000005